(57)【要約】【課題】あらゆる凹凸の基礎床面であっても、短時間で施工可能な支持脚部材を提供する。【解決手段】支持脚部材１５には、基礎床面１の上に載置される脚部本体１６と、脚部本体１６の上方に設けられて、浮床部の下面側に当接されることにより、この浮床部を下方から支持する面状の受け板部１７とを有し、脚部本体１６に対して、受け板部１７を接続すると共に、受け板部１７の脚部本体１６に対する接続角度を自在に変更可能な首振り機構３０が設けられている。【選択図】図１
2005002682.tif 000002
【特許請求の範囲】
【請求項１】
基礎床面と、該基礎床面から一定距離離間されて設けられた浮床部との間に介在されて、前記浮床部を下方から支持する支持脚部材であって、
前記基礎床面の上に載置される脚部本体と、該脚部本体の上方に設けられて、前記浮床部の下面側に当接されることにより、該浮床部を下方から支持する面状の受け板部とを有し、前記脚部本体に対して、前記受け板部を接続すると共に、前記受け板部の該脚部本体に対する接続角度を自在に変更可能な首振り機構が設けられていることを特徴とする支持脚部材。
【請求項２】
基礎床面と、該基礎床面から一定距離離間されて設けられた浮床部との間に介在されて、前記浮床部を下方から支持する支持脚部材であって、
前記基礎床面の上に載置される脚部本体と、該脚部本体の上方に設けられて、前記浮床部の下面側に当接されることにより、該浮床部を下方から支持する面状の受け板部とを有し、前記脚部本体は、放射状に延設されて、各々長手方向に伸縮調整可能とすることにより、前記基礎床面に下端部を当接させる支脚部を有することを特徴とする支持脚部材。
【請求項３】
基礎床面と、該基礎床面から一定距離離間されて設けられた浮床部との間に介在されて、前記浮床部を下方から支持する支持脚部材であって、
前記基礎床面の上に載置される脚部本体と、該脚部本体の上方に設けられて、前記浮床部の下面側に当接されることにより、該浮床部を下方から支持する面状の受け板部とを有し、前記脚部本体に対して、前記受け板部を接続すると共に、前記受け板部の該脚部本体に対する接続角度を自在に変更可能な首振り機構が設けられていると共に、前記脚部本体には、放射状に延設されて、各々長手方向に伸縮調整可能とすることにより、前記基礎床面に下端部を当接させる支脚部を有することを特徴とする支持脚部材。
【請求項４】
前記脚部本体は、３本の支脚部を有することを特徴とする請求項２又は３記載の支持脚部材。
【請求項５】
前記受け板部には、雌ネジ部を内周面に形成したネジ孔を設け、前記脚部本体との接続部分から上方に向けて、回転自在に突設された首軸部材の周囲に形成された雄ネジ部に対して、該雌ネジ部を螺合させると共に、該首軸部材の上端面に、前記浮床部に開口形成された高さ調整孔に臨ませる工具受け部が形成されていることを特徴とする請求項１乃至４のうち何れか一項記載の支持脚部材。
【発明の詳細な説明】
【０００１】
【発明の属する技術分野】
この発明は、建物等、建築物の床部が、二重に構成されている二重床に用いられて好適な支持脚部材に関するものである。
【０００２】
【従来の技術】
従来、二重床の基礎床面１と、上部を覆うように設けられる浮床部２との間に介在される支持脚部材３が知られている（例えば、特許文献１参照）。
【０００３】
このようなものでは、図７に示すように、基礎床面１に固定されるベースプレート１ａの上面側には、前記浮床部２を下方から支持するパネル台座１２の水平を調整する水平レベル出し機構４が設けられている。
【０００４】
この水平レベル出し機構４では、主に、前記方形状のベースプレート１ａの四隅近傍から上方へ向けて、４本の蝶軸部５…が突設されていて、四隅の馬鹿孔６ａ…をこの蝶軸部５…に各々挿通する水平調整板６の傾きが、この水平調整板６を上，下から挟持するナット部材８，８の螺着位置によって上下させて停止させることによりで、変更可能としている。
【０００５】
また、この水平調整板６には、円柱状の支持脚本体９が、上方に向けて鉛直に突設されて固着されている。
【０００６】
そして、この支持脚本体９には、上部に、ネジ部１１によって主に構成される上，下位置調整機構１０が設けられている。
【０００７】
この上，下位置調整機構１０では、前記浮床部２の下面部に当接される前記パネル台座１２の上下方向位置が、この支持脚本体９内に形成された雌ネジ部への前記ネジ部１１の螺合量によって調整されるように構成されている。
【０００８】
次に、この従来の支持脚部材３の作用について説明する。
【０００９】
このように構成された従来の支持脚部材では、前記水平レベル出し機構４によって、前記四隅の各ナット部材８…の前記各蝶軸部５…に対する螺着位置を上下方向で調整することにより、前記基礎床面１が、水平に対して傾いていても、前記パネル台座１２の角度が、図中実線で示すように、修正される。
【００１０】
また、前記上，下位置調整機構１０では、前記ネジ部１１の前記支持脚本体９内に形成された雌ネジ部への螺合量を調整することによって、前記パネル台座１２の上，下方向位置が調整される。
【００１１】
このため、前記パネル台座１２の水平度及び高さ位置が適正位置に調整されて、前記浮床部２が、所望の位置で支持される。
【００１２】
【特許文献１】
実開平５−４０４８３号公報
【００１３】
【発明が解決しようとする課題】
しかしながら、このように構成された従来のものでは、改修工事の際に見られるような凹凸の激しい基礎床面１では、前記ベースプレート１ａを載置しただけでは、安定させて固定出来ない。
【００１４】
このため、予め接着層１３を基礎床面１の所定箇所に施工する等、水平調整工事が発生してしまっていた。
【００１５】
また、このような接着層１３を形成する湿式の施工を行う場合には、乾燥までの養生の時間が必要となり、施工時間が増大して、即日工事等が出来ない虞もあった。
【００１６】
更に、設置後、水平度の調整を行う為には、前記水平レベル出し機構４の四隅に設けられた４本の各蝶軸部５…を用いて、前記各ナット部材８…の螺着位置を上下方向で調整しなければならず、調整が煩雑であると共に、前記基礎床面１と前記浮床部２との間に形成される高さ方向に余裕の無い狭い空間内でこれらの調整作業を行わなければならず、作業性が良好であるとは言い難かった。
【００１７】
そこで、この発明は、水平でない基礎床面であっても、短時間で、上方の浮床部の水平度の調整可能な支持脚部材を提供することを目的としている。
【００１８】
また、この発明は、あらゆる凹凸の基礎床面であっても、短時間で施工可能な支持脚部材を提供することを目的としている。
【００１９】
【課題を解決するための手段】
上記目的を達成するために、請求項１に記載された発明では、基礎床面と、該基礎床面から一定距離離間されて設けられた浮床部との間に介在されて、前記浮床部を下方から支持する支持脚部材であって、前記基礎床面の上に載置される脚部本体と、該脚部本体の上方に設けられて、前記浮床部の下面側に当接されることにより、該浮床部を下方から支持する面状の受け板部とを有し、前記脚部本体に対して、前記受け板部を接続すると共に、前記受け板部の該脚部本体に対する接続角度を自在に変更可能な首振り機構が設けられている支持脚部材を特徴としている。
【００２０】
このように構成された請求項１記載のものでは、前記首振り機構によって、前記受け板部の該脚部本体に対する接続角度が、自在に変更可能であるので、前記基礎床面が、水平ではなく、前記脚部本体が傾いて載置されていても、前記受け板部を水平とすることが出来る。
【００２１】
このため、前記浮床部を、良好な取付精度で施工出来、床部の遮音性及び振動吸収性を良好なものとすることができる。
【００２２】
また、従来のように、予め接着層を基礎床面の所定箇所に施工する等、水平調整工事を行う必要が無くなり、施工が容易で、即日工事が完了する。
【００２３】
しかも、前記受け板部の該脚部本体に対する接続角度を、該首振り機構を用いて変更するだけで、水平度の調整が可能であるので、前記基礎床面と前記浮床部との間に形成される高さ方向に余裕の無い狭い空間内での作業性が良好である。
【００２４】
また、請求項２に記載されたものでは、基礎床面と、該基礎床面から一定距離離間されて設けられた浮床部との間に介在されて、前記浮床部を下方から支持する支持脚部材であって、前記基礎床面の上に載置される脚部本体と、該脚部本体の上方に設けられて、前記浮床部の下面側に当接されることにより、該浮床部を下方から支持する面状の受け板部とを有し、前記脚部本体は、放射状に延設されて、各々長手方向に伸縮調整可能とすることにより、前記基礎床面に下端部を当接させる支脚部を有する支持脚部材を特徴としている。
【００２５】
このように構成された請求項２記載のものでは、前記放射状に延設された支脚部の下端部が、点状に各々相互に離間された位置で、前記基礎床面に当接される。
【００２６】
このため、あらゆる凹凸の基礎床面であっても、前記支持脚部材を前記基礎床面の上に配置できる。
【００２７】
そして、該支脚部の長さを、前記伸縮調整機構を用いて調整することにより、前記浮床部を最も適した位置で、下方から支持させることができる。
【００２８】
このため、従来のように、予め接着層を基礎床面の所定箇所に施工する等、水平調整工事を行う必要が無くなり、施工が容易で、即日工事が完了する。
【００２９】
更に、請求項３に記載されたものでは、基礎床面と、該基礎床面から一定距離離間されて設けられた浮床部との間に介在されて、前記浮床部を下方から支持する支持脚部材を設けた支持脚部材であって、前記基礎床面の上に載置される脚部本体と、該脚部本体の上方に設けられて、前記浮床部の下面側に当接されることにより、該浮床部を下方から支持する面状の受け板部とを有し、前記脚部本体に対して、前記受け板部を接続すると共に、前記受け板部の該脚部本体に対する接続角度を自在に変更可能な首振り機構が設けられていると共に、前記脚部本体には、放射状に延設されて、各々長手方向に伸縮調整可能とすることにより、前記基礎床面に下端部を当接させる支脚部を有する支持脚部材を特徴としている。
【００３０】
このように構成された請求項３記載のものでは、あらゆる凹凸を有する前記基礎床面であっても、安定させて、脚部本体を載置出来ると共に、前記首振り機構によって、前記受け板部の該脚部本体に対する接続角度が、自在に変更可能であるので、前記基礎床面が、水平ではなく、前記脚部本体が傾いて載置されていても、前記受け板部を水平とすることが出来る。
【００３１】
また、請求項４に記載されたものでは、前記脚部本体は、３本の支脚部を有する請求項２又は３記載の支持脚部材を特徴としている。
【００３２】
このように構成された請求項４記載のものでは、前記脚部本体が、３本の支脚部を有しているので、あらゆる凹凸を有する前記基礎床面であっても、全ての支脚部の下端部が、確実に前記基礎床面に当接されて、安定して載置される。
【００３３】
更に、請求項５に記載されたものでは、前記受け板部には、雌ネジ部を内周面に形成したネジ孔を設け、前記脚部本体との接続部分から上方に向けて、回転自在に突設された首軸部材の周囲に形成された雄ネジ部に対して、該雌ネジ部を螺合させると共に、該首軸部材の上端面に、前記浮床部に開口形成された高さ調整孔に臨ませる工具受け部が形成されている請求項１乃至４のうち何れか一項記載の支持脚部材を特徴としている。
【００３４】
ここで、例えば、工具受け部とは、前記首軸部材の上端面に形成されて、ドライバー等の工具の先端を介挿することにより、前記首軸部材を該ドライバーの回転と共に回転させることができるドライバー先端挿入用のドライバー受け溝部等である。
【００３５】
このように構成された請求項５記載のものでは、前記首軸部材の上端面に形成された工具受け部が、前記浮床部に開口形成された高さ調整孔に臨んでいるので、該浮床部上面側から、該首軸部材を回転させることができる。
【００３６】
該首軸部材を回転させると、前記浮床部を支持している前記受け板部は、回転しないので、雌ネジ部に螺合されている雄ネジ部の位置が、該回転により移動する。
【００３７】
このため、該首軸部材の回転に伴って、前記受け板部を、前記軸部が延設されている上下方向に沿って移動させることが出来るので、前記浮床部の上下方向位置が調整可能である。
【００３８】
従って、前記浮床部が、前記受け板部の上に敷設された状態でも、該浮床部の高さ位置を調整可能である。
【００３９】
【発明の実施の形態１】
次に、図面に基づいてこの発明の実施の形態１の支持脚部材が用いられる床部構造を有する建物を用いて説明する。
【００４０】
なお、前記従来と同一乃至均等な部分については、同一符号を付して説明する。
【００４１】
図１乃至図４は、この発明の実施の形態１の建物の床部構造を示す図である。
【００４２】
まず、構成を説明すると、この発明の実施の形態１に係る建物の床部は、二重床構造となっており、基礎床面１と、この基礎床面１の上部を覆うように設けられる浮床部２との間に、複数の支持脚部材１５…が、一定距離を置いて介在されることにより、前記浮床部２が、前記基礎床面１から高さ方向で、一定高さｈ離間されて支持されるように構成されている。
【００４３】
前記支持脚部材１５には、前記基礎床面１の上に載置される脚部本体１６と、この脚部本体１６の上方に設けられて、前記浮床部２の下面側２ａに当接されることにより、この浮床部２を下方から支持する面状の受け板部１７とが設けられている。
【００４４】
このうち、前記脚部本体１６は、有底円筒形状の本体ケース１８下部から、円周方向で約１２０゜置きとなるように放射状に延設される３本の支脚部１９…が設けられている。
【００４５】
この支脚部１９には、鉛直方向に対して、α＝３６．９（約３７゜）゜又は、３５゜の角度又は、これらの角度に近い角度（約２０゜〜８０゜）を有して外側方に向けて延設されて、伸縮調整機構の一方を構成する雄ネジ軸部２０が設けられている。
【００４６】
また、この支脚部１９には、下端部に前記基礎床面１に対して、点接触して当接する際に滑り止めとなるゴムブーツ部材２１を有する伸縮調整機構の他方としての雌ネジパイプ部材２２が設けられている。
【００４７】
そして、これらの雄ネジ軸部２０と雌ネジパイプ部材２２との螺合の長さが、前記雌ネジパイプ部材２２の回転により変更されて、各々長手方向に伸縮調整可能とするように構成されている。
【００４８】
更に、この実施の形態１では、この支脚部１９を一定の長さで停止させるように、前記雌ネジパイプ部材２２の上端面に圧着される固定ナット部材２３が、前記雌ネジパイプ部材２２に螺合されて各々設けられている。
【００４９】
また、前記本体ケース１８の上側開口部には、略円盤形状のジョイント受け部材２５が嵌着されていて、側面から固定ビス２６によって固定されている。
【００５０】
このジョイント受け部材２５には、前記脚部本体１６に対して、前記受け板部１７を接続すると共に、この脚部本体１６に対する前記受け板部１７の接続角度を自在に変更可能な首振り機構３０が設けられている。
【００５１】
この首振り機構３０は、主に、前記ジョイント受け部材２５に形成されるボールジョイント受け凹部２５ａと、周囲に雄ネジ部２４ａが形成されて、この接続部分から上方に向けて立設される首軸部材２４の下端に形成されて、このボールジョイント受け凹部２５ａに、図２に示すように、回転ａ及び倒立ｂ可能に係合されるジョイントボール部２４ｂとを有して主に構成されている。
【００５２】
また、前記受け板部１７は、前記首軸部材２４の雄ネジ部２４ａに螺合されるように雌ネジ部を内周面に形成した雌ネジ孔部２７ａを設けた移動受け部材２７と、この移動受け部材２７のフランジ部２７ｂに固着されるパーチ部材２８とから主に構成されている。
【００５３】
このうち、前記パーチ部材２８は、略方形形状を呈し、前記浮床部２の下面側に当接されると共に、略中央部には、前記浮床部２に開口形成された高さ調整孔２ｂに対応させて、挿通開口２８ａが形成されている。
【００５４】
更に、この実施の形態１では、前記首軸部材２４の上端面に、前記浮床部２に開口形成された高さ調整孔２ｂに臨ませる工具受け部としてのドライバー受け溝部３１が形成されている。
【００５５】
このドライバー受け溝部３１は、図３に示すように、上端面に十字の溝状に切り込みが形成されることによって構成されている。
【００５６】
そして、ドライバー等の工具の先端が、このドライバー受け溝部３１に介挿されることにより、前記首軸部材２４を、このドライバーの回転と共に回転させることが可能に構成されていて、この回転によって、前記ドライバー先端挿入用の前記脚部本体１６との接続部分から上方に向けて、回転自在に突設された首軸部材２４の周囲に形成された雄ネジ部２４ａに対して、雌ネジ孔部２７ａの雌ネジ部が螺合位置を上下動させることにより、前記浮床部２の上，下位置が調整可能に構成されている。
【００５７】
次に、この実施の形態１の作用について説明する。
【００５８】
このように構成された実施の形態１の支持脚部材では、前記首振り機構３０によって、前記受け板部１７の前記脚部本体１６に対する接続角度が、自在に変更可能である。
【００５９】
このため、前記基礎床面１が、凹凸により水平ではなく、前記脚部本体１６が傾いて載置されていて、前記本体ケース１５が水平とならなくとも、図２に示すように、前記首振り機構３０のジョイントボール２４ｂが、前記ボールジョイント受け凹部２５ａ内で回転ａ又は倒立ｂして、前記首軸部材２４を鉛直方向に沿わせて立設させることができる。
【００６０】
従って、この首軸部材２４に設けられる前記受け板部１７のパーチ部材２８の上面を水平とすることが出来る。
【００６１】
このため、前記浮床部２を、建物に良好な取付精度で施工出来、建物の床部を２重床として、遮音性及び振動吸収性を良好なものする際、更に、これらの遮音性及び振動吸収性を向上させることができる。
【００６２】
特に、この実施の形態１では、前記各支脚部１９…の下端部が、各々ゴムブーツ部材２１…で構成されているので、前記浮床部２の振動が、各ゴムブーツ部材２１…によって吸収されて、基礎床面１に伝わりにくい。
【００６３】
従って、更に、遮音性及び振動吸収性を向上させることができる。
【００６４】
また、従来のように、予め前記接着層１３を基礎床面１の所定箇所に施工する等、水平調整工事を行う必要が無くなり、施工が容易で、即日工事が完了する。
【００６５】
しかも、前記受け板部１７の脚部本体１６に対する接続角度を、前記首振り機構３０を用いて変更するだけで、水平度の調整が可能であるので、前記基礎床面１と前記浮床部２との間に形成される高さｈ方向に余裕の無い狭い空間内で、従来のように、前記各ナット部材８…の前記４本の各蝶軸部５…に対する螺合位置を各々微調整しなければならないものに比して、作業性が良好である。
【００６６】
特に、この実施の形態１では、前記首軸部材２４の上端面に形成された工具受け部としてのドライバー受け溝部３１が、前記浮床部２に開口形成された高さ調整孔２ｂに臨んでいる。
【００６７】
このため、前記浮床部２の上面側から、高さ調整孔２ｂ内に、ドライバー等の工具の先端を介挿することにより、ドライバーの先端の十字部分を前記ドライバー受け溝部３１に、容易に係合させることが出来る。
【００６８】
次に、前記ドライバーを回転させると、前記首軸部材２４が、このドライバーの回転と共に回転される。この際、前記受け板部１７は、前記浮床部２の下面側２ａに当接される等、回転不能のであるので、この首軸部材２４の雄ネジ部２４ａと螺合する前記移動受け溝部材２７の螺着位置が、上下方向で移動される。
【００６９】
このため、浮床部２の高さ方向位置が、下面側２ａから支持する受け板部１７の上下方向移動によって調整可能である。
【００７０】
したがって、浮床部２の敷設後であっても、浮床部２の上面側から、浮床部２の高さを容易に調整出来る。
【００７１】
また、前記放射状に延設された３本の支脚部１９…の下端部に設けられたゴムブーツ部材２１…が、点状に各々相互に離間された位置で、前記基礎床面１の凹凸に関わらず、３点とも全て当接される。
【００７２】
このため、あらゆる凹凸の基礎床面１であっても、前記支持脚部材１５を、これらの基礎床面１の上に配置できる。
【００７３】
そして、前記支脚部１９…の長さが、各々前記伸縮調整機構としての前記雄ネジ軸部２０に対する前記雌ネジパイプ部材２２の螺合量を回転によって変更して調整すると共に、前記固定ナット部材２３を用いて、固定することにより、前記浮床部２が最も適した位置で、下方から支持される。
【００７４】
このため、従来のように、予め前記接着層１３を基礎床面１の所定箇所に施工する等、乾燥工程を伴う水平調整工事を行う必要が無くなり、施工が容易で、即日工事が完了する。
【００７５】
特に、図４に示すように、この実施の形態１の支持脚部材１５では、あらゆる凹凸を有する前記基礎床面１であっても、安定させて、脚部本体１６が載置されると共に、前記首振り機構３０によって、前記受け板部１７の脚部本体１６に対する接続角度が、自在に変更可能である。
【００７６】
すなわち、まず、前記基礎床面１に前記ゴムブーツ部２１…を当接させて、この支持脚部材１５を設置する際、ある程度、前記雄ネジ軸部２０と雌ネジパイプ部材２２との螺合の長さが、前記雌ネジパイプ部材２２の回転により伸縮調整される。
【００７７】
このため、前記本体ケース１８は、二点鎖線で示す傾いた状態から、実線で示す略水平に近づいた状態となる。
【００７８】
次に、前記雌ネジパイプ部材２２等による伸縮調整をある程度で終えて、この支持脚部材１５を前記基礎床面１の上に載置すると、前記各支脚部１９…の下端部に設けられた各ゴムブーツ部材２１…が、３点とも必ず、前記基礎床面１に当接する。
【００７９】
この際、前記ケース本体１８が、図４中実線で示すように、傾いていても、この支持脚部材１５が倒れない程度に、上面視で、前記３つのゴムブーツ部材２１…の略中心寄り、若しくは重心近傍に前記ジョイントボール部２４ｂが、位置するように大まかに調整されていれば良く、前記雌ネジパイプ部材２２等による伸縮調整機構での微調整が、前記支持脚部材１５を基礎床面１の上に載置した後は、不要である。
【００８０】
そして、前記支持脚部材１５が基礎床面１の上に載置された後、前記首振り機構３０によって、前記受け板部１７の前記脚部本体１６に対する接続角度を、変更して微調整が行われる。
【００８１】
前記首振り機構３０による調整は、上方から、前記受け板部１７を支持する首軸部材２４の前記ジョイント受け部材２５への接続角度を、前記ジョイントボール部２４ｂを前記ボールジョイント受け凹部２５ａ内で摺接移動させることにより行うので、目視しながら容易に前記受け板部１７を水平とすることが出来る。
【００８２】
更に、この実施の形態１では、前記首軸部材２４に設けられた雄ネジ部２４ａと、受け板部１７の移動受け部材２７に設けられた雌ネジ孔部２７ａとによって、上下方向の受け板部１７の位置が、浮床部２の上面側から調整可能であるので、この点においても、前記雄ネジ軸部２０と雌ネジパイプ部材２２との螺合の長さの伸縮調整を大まかに行うだけで良く、前記基礎床面１と前記浮床部２との間に形成される高さｈ方向に余裕の無い狭い空間内での作業が減少して、更に、施工作業性を良好なものとすることができる。
【００８３】
特に、改修工事の際に見られるような凹凸の激しい基礎床面１であっても、傾きや凹凸の大，小に影響されることが殆ど無いので、このような面精度をコントロールしにくい改修工事等に用いて好適である。
【００８４】
【実施の形態２】
図５は、この発明の実施の形態２を示すものである。なお、前記実施の形態１と同一乃至均等な部分については、同一符号を付して説明する。
【００８５】
この実施の形態２の支持脚部材１１５では、脚部本体１１６…が、３本の円柱状の支脚部１１９を有して、下端部にゴムブーツ部材２１…を各々設けて構成されていて、前記実施の形態１の雄ネジ軸部２０及び雌ネジパイプ部材２２等の伸縮調整機構が省略されている。
【００８６】
次に、この実施の形態２の作用について説明する。
【００８７】
この実施の形態２では、前記実施の形態１の作用効果に加えて、更に、前記脚部本体１１６が、３本の円柱状の支脚部１１９…を有して構成されている。
【００８８】
このため、あらゆる凹凸を有する前記基礎床面１であっても、全ての支脚部１１９の下端部に設けられたゴムブーツ部材２１…が、３点で確実に前記基礎床面１に当接されて、安定して載置される。
【００８９】
そして、前記首振り機構３０によって、前記受け板部１７の前記脚部本体１１６上部に設けられたケース本体１８に対する接続角度が、自在に変更可能である。
【００９０】
よって、前記基礎床面１が、凹凸により水平ではなく、前記脚部本体１１６が傾いて載置されていて、前記本体ケース１５が水平とならなくとも、図５に示すように、前記首振り機構３０のジョイントボール２４ｂが、前記ボールジョイント受け凹部２５ａ内で回転ａ又は倒立ｂして、前記首軸部材２４を鉛直方向に沿わせて立設させることができる。
【００９１】
このように、前記首振り機構３０の角度を調整することにより、この首軸部材２４に設けられる前記受け板部１７のパーチ部材２８の上面が水平となり、前記浮床部２が、建物に良好な取付精度で敷設施工される。
【００９２】
しかも、前記実施の形態１の雄ネジ軸部２０及び雌ネジパイプ部材２２等の伸縮調整機構が省略されていて、簡素な構造を呈しているので、更に、製造コストの増大が抑制される。
【００９３】
他の構成及び作用効果については、前記実施の形態１と同一乃至均等であるので、説明を省略する。
【００９４】
【実施の形態３】
図６は、この発明の実施の形態３を示すものである。なお、前記実施の形態１，２と同一乃至均等な部分については、同一符号を付して説明する。
【００９５】
この実施の形態３の支持脚部材２１５では、実施の形態１の首振り機構３０が省略されて、脚部本体１６を構成する基部１１８下部から、円周方向で約１２０゜置きとなるように放射状に、３本の支脚部１９…が延設されている。
【００９６】
また、この基部１１８の上面側には、前記首軸部材２４が鉛直方向に向けて回転可能に立設されている。
【００９７】
このように構成された実施の形態３の支持脚部材２１５では、前記首軸部材２４の上端面に形成されたドライバー受け溝部３１が、前記浮床部２に開口形成された高さ調整孔２ｂに一部挿入されて臨んでいるので、この浮床部２上面側から、ドライバー等を挿入して、前記首軸部材２４を回転させることができる。
【００９８】
首軸部材２４が回転されると、前記浮床部２を支持している前記受け板部１７は、回転しないので、雌ネジ孔部２７ａに螺合されている雄ネジ部２４ａの位置が、この回転により上，下方向に移動される。
【００９９】
このように、首軸部材２４の回転に伴って、前記受け板部１７が、前記首軸部材２４が延設されている上下方向に沿って移動されて、前記浮床部２の上下方向位置が調整可能である。
【０１００】
従って、前記浮床部２が、前記受け板部１７の上に敷設された状態でも、前記浮床部２の上面側からこの浮床部２の高さ位置が調整可能である。
【０１０１】
他の構成及び作用効果については、前記実施の形態１，２と同一乃至であるので、説明を省略する。
【０１０２】
他の構成及び作用効果については、前記実施の形態１，２と同一乃至であるので、説明を省略する。
【０１０３】
以上、図面を参照して、本発明の実施の形態１乃至３を詳述してきたが、具体的な構成は、これらの実施の形態１乃至３に限らず、本発明の要旨を逸脱しない程度の設計的変更は、本発明に含まれる。
【０１０４】
例えば、前記実施の形態１では、脚部本体１６が、有底円筒形状の本体ケース１８下部から、円周方向で約１２０゜置きとなるように放射状に３本の支脚部１９…を延設することにより構成されているが、特にこれに限らず、例えば、前記本体ケース１８の下面側から４本以上の脚柱が突設されて、基礎床面１に間接又は直接載置されるものであるならば、脚部本体１６の形状、脚柱の数量及びこれらの材質が特に限定されるものではない。
【０１０５】
【発明の効果】
以上説明してきたように、この発明の請求項１に記載されたものによれば、前記首振り機構によって、前記受け板部の該脚部本体に対する接続角度が、自在に変更可能であるので、前記基礎床面が、水平ではなく、前記脚部本体が傾いて載置されていても、前記受け板部を水平とすることが出来る。
【０１０６】
このため、前記浮床部を、良好な取付精度で施工出来、床部の遮音性及び振動吸収性を良好なものとすることができる。
【０１０７】
また、従来のように、予め接着層を基礎床面の所定箇所に施工する等、水平調整工事を行う必要が無くなり、施工が容易で、即日工事が完了する。
【０１０８】
しかも、前記受け板部の該脚部本体に対する接続角度を、該首振り機構を用いて変更するだけで、水平度の調整が可能であるので、前記基礎床面と前記浮床部との間に形成される高さ方向に余裕の無い狭い空間内での作業性が良好である。
【０１０９】
また、請求項２に記載されたものでは、前記放射状に延設された支脚部の下端部が、点状に各々相互に離間された位置で、前記基礎床面に当接される。
【０１１０】
このため、あらゆる凹凸の基礎床面であっても、前記支持脚部材を前記基礎床面の上に配置できる。
【０１１１】
そして、該支脚部の長さを、前記伸縮調整機構を用いて調整することにより、前記浮床部を最も適した位置で、下方から支持させることができる。
【０１１２】
このため、従来のように、予め接着層を基礎床面の所定箇所に施工する等、水平調整工事を行う必要が無くなり、施工が容易で、即日工事が完了する。
【０１１３】
更に、請求項３に記載されたものでは、あらゆる凹凸を有する前記基礎床面であっても、安定させて、脚部本体を載置出来ると共に、前記首振り機構によって、前記受け板部の該脚部本体に対する接続角度が、自在に変更可能であるので、前記基礎床面が、水平ではなく、前記脚部本体が傾いて載置されていても、前記受け板部を水平とすることが出来る。
【０１１４】
また、請求項４に記載されたものでは、前記脚部本体が、３本の支脚部を有しているので、あらゆる凹凸を有する前記基礎床面であっても、全ての支脚部の下端部が、確実に前記基礎床面に当接されて、安定して載置される。
【０１１５】
更に、請求項５に記載されたものでは、前記軸部材の上端面に形成された工具受け部が、前記浮床部に開口形成された高さ調整孔に臨んでいるので、該浮床部上面側から、該軸部材を回転させることができる。
【０１１６】
該軸部材を回転させると、前記浮床部を支持している前記受け板部は、回転しないので、雌ネジ部に螺合されている雄ネジ部の位置が、該回転により移動する。
【０１１７】
このため、該軸部材の回転に伴って、前記受け板部を、前記軸部が延設されている上下方向に沿って移動させることが出来るので、前記浮床部の上下方向位置が調整可能である。
【０１１８】
従って、前記浮床部が、前記受け板部の上に敷設された状態でも、該浮床部の高さ位置を調整可能である、という実用上有益な効果を発揮する。
【図面の簡単な説明】
【図１】この発明の実施の形態１に係る支持脚部材に用いられる支持脚部材の構成を説明する斜視図である。
【図２】実施の形態１の支持脚部材で、図１中Ａ−Ａ線に沿った位置での断面図である。
【図３】実施の形態１の支持脚部材で、首軸部材の上端部の拡大斜視図である。
【図４】実施の形態１の支持脚構造を、建物の二重床部に用いた様子を説明する模式図である。
【図５】実施の形態２の支持脚構造を、建物の二重床部に用いた様子を説明する模式図である。
【図６】実施の形態３の支持脚構造を、建物の二重床部に用いた様子を説明する模式図である。
【図７】従来例の支持脚部材で、建物の二重床部に用いられる様子を説明する断面図である。
【符号の説明】
１            基礎床面
２            浮床部
２ａ          下面側
２ｂ          高さ調整孔
１５，１１５，２１５支持脚部材
１６，１１６  脚部本体
１７          受け板部
２７          移動受け部材
２８          パーチ部材
１９，１１９  支脚部
伸縮調整機構
２０          雄ネジ部
２２          雌ネジパイプ部材
２３          固定ナット部材
２４          首軸部材（軸部材）
３０          首振り機構
２４ｂ        ジョイントボール部
２５ａ        ボールジョイント受け凹部
３１          ドライバー受け溝部（工具受け部）
【図１】
2005002682.tif 000003
【図２】
2005002682.tif 000004
【図３】
2005002682.tif 000005
【図４】
2005002682.tif 000006
【図５】
2005002682.tif 000007
【図６】
2005002682.tif 000008
【図７】
2005002682.tif 000009